(57)【要約】【課題】扉に取り付けるガラス部材が歪んだり変形するのを防いで、冷蔵庫の外観を保持することができる冷蔵庫を提供する。【解決手段】冷蔵庫１は、ガラス部材１３を有する扉を備え、ガラス部材１３の裏面１３Ｒに固定される複数の取付け部材４０と、例えば観音扉３に固定されて取付け部材４０を介して例えばガラス部材１３側に取り付けられる扉キャップ６３，６４と、を備え、扉キャップ６３，６４は、ガラス部材１３の裏面１３Ｒに位置されて、ガラス部材１３と扉キャップ６３，６４とは、取付け部材４０を介して固定されている。【選択図】図２
2014231974.tif 000002
【特許請求の範囲】
【請求項１】
ガラス部材を有する扉を備える冷蔵庫であって、
前記ガラス部材の裏面に固定される複数の取付け部材と、
前記扉に固定され、前記取付け部材を介して前記ガラス部材側に取り付けられる扉キャップと、を備え、
前記扉キャップは、前記ガラス部材の裏面に位置されていることを特徴とする冷蔵庫。
【請求項２】
前記複数の取付け部材は、前記ガラス部材の前記裏面の周囲部分に並んで配置され、前記扉キャップは、並んで配置された前記取付け部材に取り付けられることを特徴とする請求項１に記載の冷蔵庫。
【請求項３】
前記取付け部材には、前記ガラス部材から離れる方向に突起が設けられ、前記扉キャップの一部分は、前記突起に挿入されることを特徴とする請求項２に記載の冷蔵庫。
【請求項４】
前記扉キャップは、前記取付け部材と、前記取付け部材に装着される固定部材と、により、前記ガラス部材側に連結されることを特徴とする請求項１ないし３のいずれか１項に記載の冷蔵庫。
【請求項５】
前記取付け部材は、前記固定部材を挿入することで、前記扉キャップを前記取付け部材に対して連結するための穴部を有することを特徴とする請求項４に記載の冷蔵庫。
【請求項６】
前記扉キャップと前記取付け部材の前記突起との間には、隙間が設けられ、前記固定部材は、折り曲げ部と、前記折り曲げ部から伸びた開放端部を有し、前記隙間には、前記固定部材の前記折り曲げ部が位置されることを特徴とする請求項３ないし５のいずれか１項に記載の冷蔵庫。
【請求項７】
前記固定部材の前記開放端部側は、前記扉キャップとは反対側に向いていることを特徴とする請求項６に記載の冷蔵庫。
【発明の詳細な説明】
【技術分野】
【０００１】
本発明の実施の形態は、冷蔵庫に関する。
【背景技術】
【０００２】
従来、冷蔵庫は、観音扉や引出し式扉を有しており、これらの扉の正面には、ガラス部材が配置されているものがある。このガラス部材は、プラスチック製の扉部材に対して接着剤により固定されている（特許文献１を参照。）
【先行技術文献】
【特許文献】
【０００３】
【特許文献１】特開２０１１−５８７８７号
【発明の概要】
【発明が解決しようとする課題】
【０００４】
しかし、上記特許文献１において開示されている技術では、冷蔵庫に生じる冷気の影響により、ガラス部材の線膨張率とプラスチック製の扉内側部材の線膨張率の差からガラス部材が力を受けてガラス部材が歪んだり変形するおそれがある。このため、冷蔵庫の外観が損なわれてしまう可能性がある。
【０００５】
本発明は、上記に鑑みてなされたもので、その目的とするところは、扉に取り付けるガラス部材が歪んだり変形するのを防いで、冷蔵庫の外観を保持することができる冷蔵庫を提供することにある。
【課題を解決するための手段】
【０００６】
本発明の実施の形態の冷蔵庫は、ガラス部材を有する扉を備える冷蔵庫であって、前記ガラス部材の裏面に固定される複数の取付け部材と、前記扉に固定され、前記取付け部材を介して前記ガラス部材側に取り付けられる扉キャップと、を備え、前記扉キャップは、前記ガラス部材の裏面に位置されていることを要旨とする。
【図面の簡単な説明】
【０００７】
【図１】本発明の実施形態に係わる冷蔵庫の全体を示す斜視図である。
【図２】図１に示す観音扉のガラス部材の取付け構造例を示す分解斜視図である。
【図３】図３（Ａ）は、固定部材の形状例を示す斜視図であり、図３（Ｂ）は、取付け部材の形状例を示す斜視図である。
【図４】ガラス部材の裏面における４つの取付け部材の配置位置例を示す斜視図である。
【図５】ガラス部材の裏面における４つの取付け部材と、１つの扉キャップを代表して示す斜視図である。
【図６】右側の扉キャップが位置Ｐ１、Ｐ２の取付け部材と固定部材を用いて、ガラス部材の裏面の右側側部に沿って固定される状態を示す斜視図である。
【図７】図６におけるＡ−Ａ線における断面構造例を示す図である。
【図８】ガラス部材の裏面に対して、両面テープを用いて取付け部材を固定する様子を示す図である。
【発明を実施するための形態】
【０００８】
以下、図面を用いて、本発明の実施するための形態（以下、実施形態と称する）を説明する。
【０００９】
図１は、本発明の実施形態に係わる冷蔵庫の全体を示す斜視図である。
【００１０】
図１に示す冷蔵庫１は、本体２を有している。この本体２の最上部の位置には、両開き式の左右の観音扉３，４で開閉される冷蔵室５を設けられている。これらの観音扉３，４は、それぞれ本体２の回転軸３Ａ，４Ａを中心にして開閉可能に取り付けられている。冷蔵室５の下側には、引出し式扉７ａで開閉される野菜室７が設けられている。
【００１１】
この野菜室７の下側には、製氷室８と、上部冷凍室９が横方向に並んで設けられている。製氷室８は引出し式扉８ａで開閉され、上部冷凍室９は引出し式扉９ａで開閉される。本体２の最下部であって、これらの製氷室８と上部冷凍室９の下側には、冷凍室１０が設けられている。冷凍室１０は引出し式扉１０ａで開閉される。
【００１２】
観音扉３，４の下部には、それぞれ指を掛けるための凹状の取っ手３ｂ，４ｂが扉内部に設けられている。引出し式扉７ａ、８ａ、９ａ、１０ａの上部には、それぞれ指を掛けるための凹状の取っ手７ｂ、８ｂ、９ｂ、１０ｂが設けられている。
【００１３】
図１に示すように、観音扉３，４の外表面には、ガラス部材１３，１４がそれぞれ取付けられている。同様にして、引出し式扉７ａの外表面には、ガラス部材１７が取り付けられている。引出し式扉８ａ、引出し式扉９ａ、そして引出し式扉１０ａの外表面には、ガラス部材１８，１９，２０がそれぞれ取り付けられている。これらのガラス部材１３，１４，１７，１８，１９，２０は、冷蔵庫１の美観を上げるために設けられており、例えば透明あるいは透光性を有するか、色が付けられているものでも良い。
【００１４】
図１に示す冷蔵庫１では、例えば観音扉３には操作部３０が配置されている。この操作部３０は、破線で示すように、ガラス部材１３の内側に配置されている。使用者が指でガラス部材１３の上から操作部３０に触れると、操作部３０の例えば静電容量型のタッチスイッチの検出部が指を検出する。これにより、例えば冷蔵庫１の急冷凍、急冷蔵、自動製氷装置等の機能を動作させることができる。ただし、この操作部３０は、配置しても良いし、配置しなくても良い。
【００１５】
図２は、一例として図１に示す観音扉３のガラス部材１３の取付け構造例を示している。図２では、図１に示す観音扉３，４のガラス部材１３，１４，と、引出し式扉７ａのガラス部材１７と、引出し式扉８ａのガラス部材１８と、引出し式扉９ａのガラス部材１９と、そして引出し式扉１０ａのガラス部材２０の内で、ガラス部材１３の取付け構造を代表して示している。しかし、ガラス部材１４，１７，１８，１９，２０の取付け構造も、ガラス部材１３の取付け構造と同様である。図２に示すガラス部材１３は、縦長の長方形状の板状の強化処理されたガラス面材である。その他のガラス部材１４，１７，１８，１９，２０も、ガラス部材１３と同じガラス面材である。
【００１６】
図２に示すように、ガラス部材１３の取付け構造は、例えば金属製の４つの取付け部材４０と、プラスチック製の４つの扉キャップ６１，６２，６３，６４と、例えば金属製の４つの固定部材９０を備えている。上下位置の扉キャップ６１，６２は、断面Ｌ字型を有し、左右位置の扉キャップ６３，６４は、断面Ｕ字型を有している。
【００１７】
図２に示す４つの取付け部材４０は、いわゆる金属製のアンカー形状部材であり、例えば鉄製である。２つの取付け部材４０は、ガラス部材１３の裏面１３Ｒ側の左側側部１３Ｍに沿って設けられ、残りの２つの取付け部材４０は、ガラス部材１３の裏面１３Ｒ側の右側側部１３Ｎに沿って固定される部材である。上側寄りの２つの取付け部材４０は、ガラス部材１３の裏面１３Ｒの上側の端部１３Ｔ、１３Ｔ寄りの位置Ｐ１、Ｐ３にそれぞれ配置される。下側寄りの２つの取付け部材４０は、ガラス部材１３の裏面１３Ｒの下側の端部１３Ｓ、１３Ｓ寄りの位置Ｐ２、Ｐ４にそれぞれ配置される。
【００１８】
このように、４つの取付け部材４０は、ガラス部材１３の裏面１３Ｒの周囲部分に並んで配置される。左右側の扉キャップ６３，６４は、並んで配置された取付け部材４０に取り付けられることにより、ガラス部材１３の裏面１３Ｒに位置される。左右側の扉キャップ６３，６４は、取付け部材４０を用いてガラス部材１３に対して固定される。上下側の扉キャップ６１，６２は、ガラス部材１３の裏面１３Ｒに対して、直接接着剤や両面テープにより固定される。
【００１９】
図２に示すプラスチック製の左右側の扉キャップ６３，６４とプラスチック製の上下側の扉キャップ６１，６２は、プラスチック製の扉部材１００の外面１０１側に固定されるようになっている。これにより、ガラス部材１３は、扉部材１００の外面１０１側に対して固定することができる。
【００２０】
上側に位置する扉キャップ６１と下側に位置する扉キャップ６２は、横方向Ｘに沿って平行に配置され、右側に位置する扉キャップ６３と左側に位置する扉キャップ６４は、縦方向Ｚに沿って平行に配置される。扉キャップ６３，６４の長さは、扉キャップ６１，６２の長さに比べて大きい。
【００２１】
ここで、図３を参照して、図２に示す４つの固定部材９０と、４つの取付け部材４０の形状例を説明する。図３（Ａ）は、固定部材９０の形状例を示す斜視図であり、図３（Ｂ）は、取付け部材４０の形状例を示す斜視図である。
【００２２】
図３（Ａ）に示す固定部材９０は、例えば金属板を折り曲げることでほぼ断面Ｕ字型あるいはＶ字型に形成されており、弾発性能を有する楔形状の固定具である。この固定部材９０は、湾曲した折り曲げ部９１と、折り曲げ部９１から伸びた２つの開放端部９２，９３を有している。
【００２３】
また、図３（Ｂ）に示す取付け部材４０は、例えば金属板を折り曲げてほぼ断面Ｌ字型に形成されており、突起としての第１面部４１と、この第１面部４１に対して直交している第２面部４２を有している。第１面部４１と第２面部に渡って、穴部としての開口部４３が形成されている。後で説明するが、この開口部４３内には、図３（Ａ）に示す楔形状の固定部材９０が挿入されるようになっている。なお、開口部４３の幅Ｗは、固定部材９０の幅Ｗ１に比べてやや大きいか、ほぼ同じに設定されている。
【００２４】
図４は、ガラス部材１３の裏面１３Ｒにおける４つの取付け部材４０の配置位置例を示す斜視図である。
【００２５】
図４に示す２つの取付け部材４０は、ガラス部材１３の裏面１３Ｒ側の左側側部１３Ｍにおける位置Ｐ３、Ｐ４に設けられ、残りの２つの取付け部材４０は、ガラス部材１３の裏面１３Ｒ側の右側側部１３Ｎにおける位置Ｐ１、Ｐ２に設けられる。これらの位置Ｐ１、Ｐ３は、ガラス部材１３の裏面１３Ｒの上側の端部１３Ｔ、１３Ｔ寄りの位置である。残りの位置Ｐ２、Ｐ４は、ガラス部材１３の裏面１３Ｒの下側の端部１３Ｓ、１３Ｓ寄りの位置である。
【００２６】
図５は、ガラス部材１３の裏面１３Ｒにおける４つの取付け部材４０と、１つの扉キャップ６３を代表して示す斜視図である。
【００２７】
図５と図２に示す右側の扉キャップ６３は、断面Ｕ字型のプラスチック製の長い部材であり、位置Ｐ１、Ｐ２の取付け部材４０，４０に対応する位置には、それぞれ装着部分４９が設けられている。この装着部分４９には、細長の貫通穴４９Ｍが形成されている。この貫通穴４９Ｍには、取付け部材４０の第１面部４１がはまり込むようになっている。同様にして、図２に示す左側の扉キャップ６３は、断面Ｕ字型のプラスチック製の長い部材であり、位置Ｐ３、Ｐ４の取付け部材４０，４０に対応する位置には、それぞれ装着部分４９が設けられている。この装着部分４９には、細長の貫通穴４９Ｍが形成されている。扉キャップ６３，６４を取り付ける際には、この貫通穴４９Ｍには、取付け部材４０の第１面部４１がはまり込むようになっている。
【００２８】
図５に示すように、右側の扉キャップ６３と左側の扉キャップ６４は、それぞれ断面Ｕ字型の部材であるので、側面部６９Ａと、一方の取付け面部６９Ｂと、他方の取付け面部６９Ｃを有している。図５に示す一方の取付け面部６９Ｂは、図２に示す扉部材１００の外面１０１に対して、例えば接着剤により固定される部分である。他方の取付け面部６９Ｃは、ガラス部材１３の裏面１３Ｒに突き当てて配置される部分である。
【００２９】
一方、図２に示すように、上側の扉キャップ６１と下側の扉キャップ６２は、断面Ｕ字型のプラスチック製の部材であるが、装着部分４９は設けられていない。
【００３０】
図６は、右側の扉キャップ６３が、位置Ｐ１、Ｐ２の取付け部材４０，４０と２つの固定部材９０を用いて、ガラス部材１３の裏面１３Ｒの右側側部１３Ｎに沿って固定される状態を示す斜視図である。
【００３１】
図７は、図６におけるＡ−Ａ線における断面構造例を示している。図８は、ガラス部材１３の裏面１３Ｒに対して、両面テープ７０を用いて取付け部材４０を固定する様子を示す図である。
【００３２】
図７と図８に示すように、取付け部材４０の第２面部４２の下面７９は、ガラス部材１３の裏面１３Ｒに対して、両面テープ７０を用いて位置Ｐ１に位置決めして固定されている。この状態では、取付け部材４０の第１面部４１は、ガラス部材１３から離れる方向Ｈに伸びた突起である。しかも、扉キャップ６３の取付け面部６９Ｃは、ガラス部材１３の裏面１３Ｒに突き当てられるとともに、扉キャップ６３の装着部分４９の貫通穴４９Ｍには、取付け部材４０の第１面部４１が差し込まれるようになっている。
【００３３】
また、図７に示すように、取付け部材４０の第１面部４１の外面４１Ｓと、扉キャップ６３の内面６３Ｎとの間には、隙間ＳＰが予め設けられている。
【００３４】
図７に示すように、扉キャップ６３を取り付ける際に、扉キャップ６３の装着部分４９の貫通穴４９Ｍには、取付け部材４０の第１面部４１が差し込まれることで、装着部分４９は第２面部４２の上に載った状態になる。そこで、作業者が指で固定部材９０の開放端部９２，９３側を持って、この固定部材９０の折り曲げ部９１側を取付け部材４０の開口部４３内に差し込む。これにより、固定部材９０は、扉キャップ６３の装着部分４９を第２面部４２に対して押し付けるようにして、固定できるようになっている。
【００３５】
次に、ガラス部材１３と扉キャップ６３の取り付け作業例を説明する。
【００３６】
まず、図４に示すように、４つの取付け部材４０を、それぞれガラス部材１３の裏面１３Ｒの位置Ｐ１からＰ４に対して、図８に示すように、両面テープ７０を用いて、位置決めして貼り付けて固定する。すなわち、図８に示すように、取付け部材４０の第２面部４２の下面７９は、ガラス部材１３の裏面１３Ｒの位置Ｐ１からＰ４に対して、両面テープ７０を用いて位置決めして固定する。これにより、取付け部材４０は、ガラス部材１３の裏面１３Ｒの各位置Ｐ１からＰ４に対して、正確にしかも容易に固定することができる。
【００３７】
図６に示すように、位置Ｐ１と位置Ｐ３の取付け部材４０は対面しており、位置Ｐ２と位置Ｐ４の取付け部材４０も対面している。
【００３８】
この状態では、図７に示すように、各取付け部材４０の第１面部４１は、ガラス部材１３から離れる方向Ｈに突出した（伸びた）状態になっている。これにより、扉キャップ６３，６４を取り付ける際に、扉キャップ６３，６４の装着部分４９の貫通穴４９Ｍには、対応する取付け部材４０の第１面部４１を差し込み易くしており、しかも取付け部材４０の開口部４３に対して、固定部材９０の折り曲げ部９１を差し込み易くなっている。
【００３９】
次に、図５と図６に示すように、右側の扉キャップ６３を、位置Ｐ１、Ｐ２の取付け部材４０，４０と固定部材９０を用いて、ガラス部材１３の裏面１３Ｒの右側側部１３Ｎに沿って固定する。すなわち、図７と図８に示すように、扉キャップ６３の取付け面部６９Ｃを、ガラス部材１３の裏面１３Ｒに突き当てるとともに、扉キャップ６３の装着部分４９の貫通穴４９Ｍには、取付け部材４０の第１面部４１を差し込む。そして、図７に示すように、固定部材９０の折り曲げ部９１側を、取付け部材４０の開口部４３内にＪ方向に差し込むことができる。これにより、固定部材９０は、扉キャップ６３の装着部分４９を第２面部４２に対して押し付けるようにして、固定できる。
【００４０】
ところで、図７に示すように、取付け部材４０の第１面部４１の外面４１Ｓと、扉キャップ６３の内面６３Ｎとの間には、予め隙間ＳＰが形成されている。図７に示すように、固定部材９０の２つの開放端部９２，９３を作業者が指で持って、この固定部材９０の折り曲げ部９１を取付け部材４０の開口部４３内に、扉キャップ６３の内面６３Ｎ側に向けてＪ方向に差し込むことができる。これにより、固定部材９０の弾発力は、ガラス部材１３の裏面１３Ｒにすでに固定されている取付け部材４０に対して、扉キャップ６３の装着部分４９を押し付けることができ、扉キャップ６３は取付け部材４０と固定部材９０を用いて、取付け部材４０に対して容易に固定できる。
【００４１】
上述したように予め隙間ＳＰが形成されているので、固定部材９０の折り曲げ部９１をこの隙間ＳＰ内に位置させることができる。従って、扉キャップ６３が邪魔になって固定部材９０の折り曲げ部９１が開口部４３に差し込めないといった問題が生じることがなく、固定部材９０の折り曲げ部９１は、開口部４３に容易にしかも確実に差し込んで、ガラス部材１３の裏面１３Ｒにすでに固定されている取付け部材４０に対して、扉キャップ６３を固定することができる。なお、扉キャップ６４の固定は、扉キャップ６３の固定と同じ要領で行える。
【００４２】
ところで、このように、作業者が固定部材９０の折り曲げ部９１を取付け部材４０の開口部４３内に差し込む際に、固定部材９０の開放端部９２，９３側は、扉キャップ６３とは反対側に向いた姿勢である。このため、作業者は、扉キャップ６３の存在に邪魔されずに、固定部材９０を取付け部材４０の開口部４３に差し込んで、固定部材９０の折り曲げ部９１を隙間ＳＰを利用して突出させることができるので、この取付け作業が容易である。
【００４３】
また、固定部材９０は、いわゆる単に金属板を曲げて形成した楔形状の部材であるので、図１に示す観音扉３内に断熱材としての発泡ポリウレタンを充填した場合に、発泡ポリウレタンが固定部材９０の付近に入り込み易い。このため、観音扉３の断熱性を確保できる。
【００４４】
上述したガラス部材１３と扉キャップ６４の取付け構造は、反対側の扉キャップ６３の取付け構造と同様である。また、図２に示す上側の扉キャップ６１と下側の扉キャップ６２は、ガラス部材１３の裏面１３Ｒに対して例えば接着剤や両面テープ等で固定することができる。
【００４５】
図示例では、図１に示す観音扉３を例に説明しているが、観音扉４、引出し式扉７ａ、８ａ、９ａ、１０ａについても同様な構造を採用することができる。
【００４６】
本発明の実施形態の冷蔵庫１では、ガラス部材１３の裏面１３Ｒは、縦長の扉キャップ６３，６４に対して、複数箇所の取付け部材４０を用いて取り付ける構造を採用しており、扉キャップ６３，６４はガラス部材１３の裏面１３Ｒに対して直接貼り付けてはいない。これにより、ガラス部材１３の線膨張率と、プラスチック製の扉キャップ６３，６４の線膨張率に差があるが、金属製の複数箇所の取付け部材４０が緩衝材として、これらの線膨張率差を吸収することができる。このため、図１に示す冷蔵庫１が動作して冷蔵庫１の内外で温度差が生じても、ガラス部材１３が歪んだり、変形してしまうことが無くなることから、冷蔵庫の外観を保持することができる。
【００４７】
なお、図１に示す冷蔵庫１の観音扉３のガラス部材１３の取付け構造について説明したが、観音扉４のガラス部材１４と、引出し式扉７ａのガラス部材１７と、引出し式扉８ａのガラス部材１８と、引出し式扉９ａのガラス部材１９と、そして引出し式扉１０ａのガラス部材２０の内のガラス部材１３の取付け構造も同様にすることができる。
【００４８】
本発明の実施形態の冷蔵庫１は、ガラス部材１３を有する扉を備える冷蔵庫であって、ガラス部材１３の裏面１３Ｒに固定される複数の取付け部材４０と、例えば扉３に固定され、取付け部材４０を介して例えばガラス部材１３側に取り付けられる扉キャップ６３，６４と、を備え、扉キャップ６３，６４は、ガラス部材１３の裏面１３Ｒに位置されている。
【００４９】
これにより、ガラス部材１３と扉キャップ６３，６４とは、取付け部材４０を介して固定されており、ガラス部材が扉キャップ６３，６４に直接接着されているのではないので、扉３に取り付けられるガラス部材１３が歪んだり変形するのを防いで、冷蔵庫１の外観を保持することができる。
【００５０】
複数の取付け部材４０は、例えばガラス部材１３の裏面１３Ｒの周囲部分に並んで配置され、例えば扉キャップ６３，６４は、並んで配置された取付け部材４０，４０に取り付けられる。これにより、複数の取付け部材４０，４０を用意すれば、ガラス部材１３と扉キャップ６３，６４は、扉キャップ６３の全長渡って密着して固定するのではない。このため、冷蔵庫１が動作して冷蔵庫１の外側と内側との間に温度差が生じても、ガラス部材１３の変形を防いで冷蔵庫の外観を保持することができる。
【００５１】
取付け部材４０には、ガラス部材１３から離れる方向に突起（第１面部４１に相当）が設けられ、例えば扉キャップ６３（あるいは６４）の一部分（装着部分４９）は、突起（第１面部４１）に挿入される。これにより、この突起に扉キャップ６３（あるいは６４）の一部分を挿入するだけで、扉キャップ６３（あるいは６４）の一部分は、取付け部材４０の突起（第１面部４１）に、簡単に結合することができ、結合作業が容易になる。
【００５２】
扉キャップ６３，６４は、取付け部材４０と、取付け部材４０に装着される固定部材９０と、により、ガラス部材１３側に連結される。これにより、取付け部材４０と固定部材９０を用いることで、ガラス部材１３と扉キャップ６３，６４は容易に固定できる。
【００５３】
取付け部材４０は、固定部材９０を挿入することで、扉キャップ６３，６４を取付け部材４０に対して連結するための穴部４３を有する。これにより、扉キャップ６３，６４は、取付け部材４０に容易に連結できる。
【００５４】
扉キャップ６３，６４と取付け部材４０の突起（第１面部４１に相当）との間には、隙間ＳＰが設けられ、固定部材９０は、折り曲げ部９１と、折り曲げ部９１から伸びた開放端部９２，９３を有し、隙間ＳＰには、固定部材９０の折り曲げ部９１が位置される。これにより、固定部材９０の折り曲げ部９１は、隙間ＳＰに位置させることができるので、折り曲げ部９１は、差し込んでも折り曲げ部９１が扉キャップ６３，６４に突き当たることが無く、スムーズに取り付け作業が行える。
【００５５】
固定部材９０の開放端部９２，９３側は、扉キャップ６３，６４とは反対側に向いているので、扉キャップから離れた位置で、作業者は、固定部材９０を持って容易に取付け部材４０に対して差し込むことができる。
【００５６】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５７】
図１に示す冷蔵庫１の構造は、一例であり、任意の構造を採用することができる。
【００５８】
図示した本発明の実施形態では、ガラス部材１３の裏面１３Ｒには合計４つの取付け部材４０が用いられているが、５つ以上の取付け部材４０を採用することができる。また、上側の扉キャップ６１と、下側の扉キャップ６２についても、取付け部材４０と固定部材９０を用いて固定するようにしても良い。
【符号の説明】
【００５９】
１      冷蔵庫
２      本体
３      観音扉（扉の例）
１３    ガラス部材
１３Ｒ  ガラス部材の裏面
４０    取付け部材
４１    取付け部材の第１面部（突起の例）
４３    取付け部材の開口部（穴部の例）
６１から６４  扉キャップ
９０    固定部材
９１    固定部材の折り曲げ部
９２，９３  固定部材の開放端部
１００  扉部材
Ｐ１からＰ４  ガラス部材の裏面の取付け部材の位置
【図１】
2014231974.tif 000003
【図２】
2014231974.tif 000004
【図３】
2014231974.tif 000005
【図４】
2014231974.tif 000006
【図５】
2014231974.tif 000007
【図６】
2014231974.tif 000008
【図７】
2014231974.tif 000009
【図８】
2014231974.tif 000010